(57)【要約】  小さなペットの出入のためのスイングフラップ（１０）であって、それは、ドア、あるいは、壁に作られる開口（１３）に固定されることが可能なフレーム（８１２）を備え、頂部に、フラップ（２２）のための制約のヒンジ手段が備え付けられ、そして、動物が進む最後の通過の方向を表示するストリップ（１１）を有する。
2005513306.tif 000002
【特許請求の範囲】
【請求項１】
小さなペットの出入りのためのペット用ドア（１０）であって、ドア、あるいは、壁に作られる開口（１３）に固定されることが可能であるフレーム（１２）を備え、前記ペット用ドアには、頂部にヒンジ式スイングフラップ（２２）が備え付けられ、前記フラップが、さらに、前記方向の方へ向って突出されることによって、動物が進む最後の通過の方向を表示するタブを有するストリップ（１１）を備え、前記インジケータストリップ（１１）が、フラップ（２２）の底エッジに旋回可能にヒンジ式に取り付けられることと、前記フラップには、ペットの通過中その角開口を制御するために、ショックアブソーバが備え付けられていることを特徴とする、ペット用ドア。
【請求項２】
ショックアブソーバ手段が、フラップ（２２）をフレーム（１２）に接続するヒンジに適用される弾力性負荷手段から構成される、請求項１に記載のペット用ドア（１０）。
【請求項３】
フラップ（２２）には、フレーム（１２）に対して制約のヒンジ手段の機能を果たすようにデザインされるピン（２４）が備え付けられ、これらのピン（２４）の少なくとも一つの部分（２０）が、楕円形の断面を有する、請求項１に記載のペット用ドア（１０）。
【請求項４】
弾力性負荷手段が、フレーム（１２）に固定されるさらに付加されるブレード（２６）と一体化するリーフスプリング（２５）から構成される、請求項２に記載のペット用ドア（１０）。
【請求項５】
インジケータストリップ（１１）の各対向する側が、英数字表示および／または異なる色を呈する、請求項１に記載のペット用ドア（１０）。
【発明の詳細な説明】
【技術分野】
【０００１】
本発明は、存在インジケータと最後の通過方向インジケータとを有するペットのためのスイングフラップが設けられるペット用ドアに関する。
【０００２】
より具体的には、本発明は、ペットの出入を識別するためのスイングフラップを有するペット用ドアに関連している。
【０００３】
本発明は、産業においてペットのための物品の製造に適用されることが可能である。
【背景技術】
【０００４】
ドアを頻繁に開けて、閉める必要なく、ペットの個々の出入を可能とするために、さらに、動物によって作られる引っ掻きおよび突き当たりの結果としてのドアへのあらゆる損傷を防止するために、ドアに嵌め込まれるスイングフラップを有するペット用ドアの使用は、周知の事実である。
【０００５】
開口は、一般に、地面に近接するドアに作られ、動物によって加えられる圧力の結果として、フラップがサッと開き、そして、重力によってサッと閉まるために、フラップに対してヒンジの機能を果たすようにデザインされるピンが頂部に備え付けられる支持フレームによって境がなされる。
【０００６】
現在、フラップを通過することを望む動物の首輪のトランスミッタから信号を受信することが可能な特別の電子ユニットによって制御されることが可能であり、したがって、望まれていない出入を防止するサーボメカニズム、たとえば、リニアアクチュエータに接続されるフラップを使用することは可能である。
【０００７】
最近の背景技術（たとえば、ＧＢ−Ａ−２２２３０４９を参照）は、さらに、リードスイッチと、磁石が取り付けられる首輪を着けるペットの出入によって閉じられる回路のダイオードとからなる電磁装置の使用を予測する解決法を含んでいる。この場合も、回路の閉鎖により、フラップを開き、そして、閉じるようにデザインされるリニアアクチュエータの動きを可能にする。
【０００８】
さらに、様々なタイプのアクチュエータによってフラップの開閉を制御するようにデザインされる特殊な電子ユニットと対話するトランスポンダを使用する電子タイプの解決法もある。
【０００９】
一つの不利な点は、家の中のペットの存在が、いかなる方法でも表示されないという事実、特に、ペットが小さくて、したがって、時には見付けるのが難しい場合の困難な状態によって象徴される
【００１０】
別の不利な点は、電子装置、あるいは、電磁装置によって制御されるフラップが、比較的費用がかかり、そして、さらに、きわめて信頼性がないという事実によって象徴される。これらの装置は、実際には、動物の突然の動き、あるいは、他の予想外の理由、特に、トランスミッタ、あるいは、磁石が取り付けられる首輪の損失の結果として、可能にされることができない。
【００１１】
文献ＵＳ−Ａ−５１１７８９０は、特に、矩形部片のスクリーン、すなわち、カーテンによって、フレキシブルな材料から作られるフラップを開示している。図２が明白に示すように、スクリーンフラップは、開口の高さよりも長く、そして、矩形の薄いおもりが、フラップの底エッジに付着されている。説明によれば、そのおもりは、ペットが家の中、あるいは、外にいるかどうかの表示をもたらす。
【００１２】
このインジケータは、フレキシブルなフラップ、すなわち、ドアから入る、あるいは、出るときペットによって変形されることが可能なフラップと共に使用されることができるだけであり、そして、それは、フラップが硬質プラスチック材料から作られる、市販用のペットドアと共に使用されることができないことは明らかである。実際に、この米国の文献のシステムは、メッシュ、あるいは、繊維材料から作られるフラップが使用されることが可能なだけであり、それは、その使用を大いに制限するいくつかの他の欠陥（ドアに錠をおろす実用的に不可能性のような）を有している。
【発明の開示】
【発明が解決しようとする課題】
【００１３】
本発明の目的は、上記に記述される欠陥を解消するか、あるいは、著しく減少することが可能な存在インジケータを備えるスイングフラップを有するペット用ドアを提供することである。
【００１４】
本発明の目的は、さらに、製造が容易であり、そして、低コストで製造されることが可能なスイングフラップを提供することであり、したがって、経済的に利点がある。
【００１５】
本発明の別の目的は、あらゆるドア、あるいは、壁に広く適用可能なスイングフラップを有するペット用ドアを提供することである。
【課題を解決するための手段】
【００１６】
これは、存在インジケータを備えるペットのためのスイングフラップを有するペット用ドアによって、そして、メインクレームに記述される特徴を有することによって達成される。
【００１７】
従属クレームは、本発明の有利な実施例を記述している。
【００１８】
本発明による存在インジケータを備えるスイングフラップを有するペット用ドアは、ドアに、あるいは、壁に作られる開口に固定されることが可能なフレームを備え、頂部にフラップのための制約のヒンジ手段が備え付けられ、それは、前記ドア、あるいは、壁の外側部分、あるいは、内側部分から作動するときに突出するフラップの自由端部にヒンジ式に取り付けられるインジケータストリップを呈する。
【００１９】
本発明によれば、スイングフラップは、ペットの通過中の角開口を制御するためにショックアブソーバ手段が備え付けられている。
【００２０】
そのショックアブソーバ手段は、フラップをフレームに接続するヒンジに適用されることが可能な弾力性負荷手段から構成されることが可能である。
【００２１】
これらのショックアブソーバ手段は、フラップの突然の加速を防止するために、フラップの位置に対して違いをつけた抵抗を呈示することが可能である。
【００２２】
スイングフラップを有するペット用ドアには、多数の可能性を確実とする機能セレクタが備え付けられ、特に、フラップの開口が可能とされることができる：
−家の中に入るためだけ
−家から出るためだけ
−出入りの両方のため
−入るためでもなく、出るためでもない
【００２３】
フラップのエッジおよびフレームの対応する内側エッジには、弾性シールが取り付けられている。背景技術によれば、これらのシールは、磁石がよく、空気を通さない閉鎖を確実とする。
【００２４】
本発明の特徴および利点は、添付の図面を参照として、単に制限しない例示として与えられる本発明の実施例の以下の説明から明らかになるでしょう。
【発明を実施するための最良の形態】
【００２５】
図面において、参照番号１０は、一般に、ペット用ドア、本件の場合、存在インジケータおよびペットの最後の通過方向のインジケータ１１を有するペット用ドア１０を表示する。
【００２６】
先ず、図１および図２を参照すると、ペット用ドア１０は、家のドア、あるいは、壁１４に作られるそれぞれの開口１３の内側に位置決めされて、固定されるフレーム１２を備え、それは、外側スペースから内側スペースを分離する。
【００２７】
そのフレーム１２は、内側ハーフシェル１７と外側ハーフシェル１８とから構成されることが可能であり、相互に、そして、ドア、あるいは、壁に固定されるこれらの少なくとも一つと協働して、それぞれの通路を呈する。
【００２８】
内側ハーフシェル１７の通路は、外側ハーフシェルの通路よりも小さく、開口１３を部分的に遮断するベースプリンスが備え付けられている。
【００２９】
内側ハーフシェル１７の通路１９の上方部分は、その通路１９を閉鎖するようにデザインされるフラップのための制約のヒンジ手段を呈す。
【００３０】
図１に示されるように、制約のヒンジ手段は、作動中、フラップ２２の上方部分と一体化するそれぞれのピン２４を収容するようにデザインされるハウジングから構成されることが可能である。
【００３１】
このような方法で、フラップ２２は、通路の閉鎖位置から開放位置へ自由にスイングし、ペットが通過することを可能とする。
【００３２】
ペット用ドア１０には、ショックアブソーバ手段が備え付けられ、フラップ２２のスイングを制御する；これらの手段は、ピン２４のハウジングと対応して位置決めされる弾力性負荷手段から構成されることが可能である。
【００３３】
図３を参照すると、弾力性負荷手段は、各それぞれのハウジングの真上のフレーム１２に固定される、たとえば、制止されるさらに付加されるブレード２６と一体化するリーフスプリング２５から構成されることが可能である。
【００３４】
図３に示されるように、各ピン２４は、楕円形断面を有する部分２０を呈し、そして、その長い方の軸は、フラップ２２の延長部と整列される。
【００３５】
このような方法で、フラップ２２の角の偏位運動は、通路１９の垂直閉鎖位置に対して、ショックアブソーバの機能を果たすスプリング２５の弾力性反作用によって比例的に対照される。
【００３６】
フラップ２２の外側エッジおよび通路のエッジには、シール２９，３０を収容するようにデザインされる溝が備え付けられている。
【００３７】
これらのシール２９，３０は、フラップ２２が垂直位置にあるとき、ペット用ドア１０の空気を通さない閉鎖を確実とする。
【００３８】
そのうえ、背景技術によれば、そのシール２９，３０は、スイングフラップ２２の閉鎖状態の間それらを協働させるために、磁性粉末を含有する混合物から作られることが可能である。
【００３９】
フラップ２２の自由端部は、ベースプリンス近くでの作動において、インジケータストリップ１１を支持するようにデザインされるピン３１を呈す。
【００４０】
図４を参照すると、インジケータストリップ１１は、タブを備え、その両側が、英数字表示を呈し、特に、一つの側は、“ＩＮ”という言葉、そして、もう一つの側は、“ＯＵＴ”という言葉を示すことが可能であり、ペットが家の中にいるかどうかを表示するということが分かる。
【００４１】
そのタブは、斜めに切った自由端部を有し、そして、長手方向のスロットを有するカラー３４と一体化される。そのカラー３４は、ピン３１を収容するようにデザインされ、インジケータストリップ１１が、フラップ２２に対して自由にスイングすることを可能にする。
【００４２】
内側ハーフシェル１７には、それにヒンジ式に取り付けられ、そして、ハウスの内側から使用者に容易にアクセス可能であるノブ３６が取り付けられている。ベースプリンス２１内のそれぞれのキャビティの内側に収容されることが可能なそのノブ３６には、背景技術によれば、フラップ２２の閉鎖および開口を制御する一対の要素が取り付けられている。
【００４３】
ノブ３６を回すことによって、フラップ２２のスイングが選択的に制御されることが可能なコントロール要素の位置決めを得ることが可能である。
【００４４】
ノブ３６は、ゆえに、ペット用ドア１０の使用における多数の可能性を確実にするセレクタの機能を果たすようにデザインされ、特に、フラップ２２の開口が可能とされることができる：
−家の中に入るためだけ
−家から出るためだけ
−出入りの両方のため
−入るためでもなく、出るためでもない
【００４５】
ベースプリンスは、ペットの外方への通過後、外側ハーフシェル１８の通路に面して、外側スペースから見える位置にインジケータストリップ１１をブロックするようにデザインされる突出部４０を呈することが可能である。
【００４６】
このインジケータストリップ１１は、これに反して、ペットがハウスの内側に戻ると、内側スペース１５から明確に見える。
【００４７】
インジケータストリップ１１の結果として生じる制御されない偏位運動を有するフラップ２２のあらゆる突然のスイングは、楕円形のピン２０に対するスプリング２５のショックアブソーバ作用によって防止される。このような方法で、その両側に、さらに、異なる色で英数字の表示を示すインジケータストリップ１１は、常に、ペット用ドア１０を通るペットの通過と同じ方向に突出し、フラップを通る最後の通過により、家の内側、あるいは、外側のペットの存在に関する正確な表示をもたらす。
【００４８】
本発明は、好ましい実施例の形態を参照として上紀に説明されている。とは言っても、本発明が、技術的同等物の枠内で非常に多くの変形が可能であることは明白である。
【００４９】
一例として、ショックアブソーバ手段は、ビスコースタイプ、あるいは、万一の場合、摩擦作用である実施例の形態（図面には示されていない）が可能である。
【図面の簡単な説明】
【００５０】
【図１】本発明によるスイングフラップが設けられるペット用ドアの正面図を表わしている。
【図２】図１に示されるフラップの断面図である。
【図３】ショックアブソーバ手段の拡大予想図を示している。
【図４】インジケータストリップの拡大部分側面図を示している。
【図１】
2005513306.tif 000003
【図２】
2005513306.tif 000004
【図３】
2005513306.tif 000005
【図４】
2005513306.tif 000006
【国際調査報告】
2005513306.tif 000007
2005513306.tif 000008
2005513306.tif 000009